(57)【要約】      （修正有）【課題】カラオケ楽曲において、所望する歌唱部分について設定登録でき、好みの楽曲の歌入着信メロディを独自にアレンジできると共に、上手く歌えたかどうかを客観的に判断し、上手く歌えた歌唱録音データを利用者毎に一括管理し、専用サイトから歌入着信メロディとして効率良く供給できるカラオケシステム。【解決手段】所望する歌入着信メロディ対象歌唱区間を自由に指定して設定登録できるカラオケ演奏端末と、当該カラオケ演奏端末とネットワーク通信回線を介して接続され、利用者ＩＤとカラオケ楽曲の楽曲コードを紐付けした歌入着信メロディ対象歌唱区間の歌唱録音データから、最も上手く歌えた歌唱録音データを逐次更新して管理するカラオケホスト装置を主体とし、当該歌唱情報からその歌唱録音データを抽出し、これを歌入着信メロディとして、適宜、所定の携帯電話に転送可能な機能を有するＷＷＷサーバに送信できるシステム。【選択図】図６
2006017763.tif 000002
【特許請求の範囲】
【請求項１】
利用者による任意のカラオケ楽曲の歌唱音声に対する採点機能および録音機能を有し、当該歌唱録音データから携帯電話の歌入着信メロディを作成できるカラオケ演奏端末と、当該カラオケ演奏端末とネットワーク通信回線を介して接続されたカラオケホスト装置とを主体としてなるカラオケシステムであって、
前記カラオケ演奏端末は、
（ア）利用者ＩＤを認識するための利用者認識手段と、
（イ）利用者が歌唱するカラオケ楽曲において、歌入着信メロディとして利用者が所望する歌入着信メロディ対象歌唱区間を指定可能に制御し、当該指定区間を設定登録するための区間指定登録手段と、
（ウ）前記設定登録された歌入着信メロディ対象歌唱区間の歌唱音声を、当該楽曲の伴奏音楽と共に録音するための歌唱録音手段と、
（エ）前記設定登録された歌入着信メロディ対象歌唱区間における歌唱力の採点を行うための歌唱力採点手段と、
（オ）前記利用者ＩＤと、当該利用者が歌唱したカラオケ楽曲の楽曲コードと、当該楽曲における当該利用者が指定した前記歌入着信メロディ対象歌唱区間データと、当該歌入着信メロディ対象歌唱区間の採点結果と、当該歌入着信メロディ対象歌唱区間の歌唱録音データからなる歌唱情報を、前記カラオケホスト装置にアップロードするためのデータアップロード手段と、を具備し、
前記カラオケホスト装置は、
（カ）前記アップロードされた歌唱情報を、利用者ＩＤ毎に作成された歌唱情報管理ファイルに記録するための歌唱情報管理手段と、
（キ）前記歌唱情報管理ファイルにおいて、新たな歌唱情報がアップロードされる毎、その採点結果と従前記録されていた採点結果とを比較し、前者が後者を超えた場合、当該新たな歌唱情報をもって書き換え更新するための歌唱情報更新手段と、
（ク）前記歌唱情報管理ファイルに記録された歌唱情報を、所定の通信回線を介して接続され、当該歌唱情報からその歌唱録音データを抽出し、これを歌入着信メロディとして、適宜、所定の携帯電話に転送可能な機能を有するＷＷＷサーバに送信するための歌唱情報送信手段と、
を具備してなるカラオケシステム。
【請求項２】
前記歌唱情報には、その歌唱録音データを前記ＷＷＷサーバから所定の携帯電話に転送する際、これを認可する利用者に対して付される認可者ＩＤも付帯されてなる請求項１記載のカラオケシステム。
【発明の詳細な説明】
【技術分野】
【０００１】
本発明は、カラオケ楽曲の伴奏音楽に合わせて歌った利用者の歌唱音声を録音し、当該歌唱録音データを利用し、所定のＷＷＷサーバから、これを携帯電話の歌入着信メロディとして供給できるカラオケシステムに関する。
【背景技術】
【０００２】
近年、老若男女を問わず、携帯電話への需要が非常に高まり、幅広い人々の間で利用されている。そして、この携帯電話の着信通知手段として、現在では、着信メロディ（通称「着メロ」）が爆発的に普及している。この着信メロディは利用者の嗜好や個性を反映できる手段として愛用され、今では様々な種類のものがあるが、通常は、ＷＷＷ（World Wide Web）サーバの専用サイトなどから提供されている。
【０００３】
ところで、近頃は特に若年層を中心として、携帯電話に様々なシールなどの飾り付けを施したり、ユニークなストラップを付けたりして自らの個性表現を求める人達が増加している。この点、着信メロディはバラエティーに富み、個性表現の代表的なものとなっている。しかしながら、通常、着信メロディは演奏される部分が予め決まっており、同一楽曲では同じフレーズが演奏される。同じフレーズが演奏されるということは、同一楽曲での個性表現について不都合であるばかりでなく、この場合では、同一場所で同一の演奏が他の携帯電話で行われた際には自他を混同してしまう。
【０００４】
そこで、従来、カラオケ演奏端末を用いて利用者の嗜好に合った好みのカラオケ楽曲のフレーズを任意に携帯電話の着信メロディとして採用できる技術が想到された。例えば、特許文献１では、カラオケシステムの保有する楽曲群の中から利用者の個性に合った着信メロディを携帯電話にダウンロードできるシステムが開示されている。また、特許文献２では、カラオケ楽曲をダウンロードして再生でき、この中のサビ部分のフレーズを着信メロディとして設定できる技術が開示されている。さらに、特許文献３では、特定の楽曲の中で利用者が入力したい歌唱部分を選択し、当該歌唱部分のメロディを着信メロディとして入力可能な音符に変換できる楽譜データ変換装置（カラオケシステムへの組込み可能）が開示されている。
【特許文献１】特開２０００−２９５３７４号公報
【特許文献２】特開２０００−２６７６５２号公報
【特許文献３】特開２００２−１６９５６８号公報
【０００５】
このように、現在では、カラオケ演奏端末を利用して、自分好みの着信メロディをアレンジできるようにする技術が確立されている。ところで、最近、この着信メロディと並行して歌入着信メロディ（通称「着歌」）が普及しつつある。歌入着信メロディは、実際に歌手が歌っている楽曲の一部のフレーズを取り出し、これを着信通知手段として利用するもので、好きな楽曲の歌唱入りの音楽を聴けるという意味では着信メロディよりもインパクトが強いため、今後、着信メロディと同様に定着し、普及する可能性は大きい。
【発明の開示】
【発明が解決しようとする課題】
【０００６】
さて、好きな楽曲を歌いたいという願望、特に、好きな楽曲のイントロ部やサビ部分などのフレーズを歌いたいという願望は自然と人の心の中にある。そして、究極の個性表現や自他混同の防止という観点からも、携帯電話の利用者本人が歌唱して作成した歌入着信メロディを利用するのが好ましく、潜在的な需要が大いにある。具体的には、好きな楽曲を利用者自らが歌唱することで、例え、同一楽曲で同じフレーズが演奏されても、歌唱音声が異なるため、個性表現や自他混同の防止という観点では着信メロディよりも好適である。しかしながら、従来では、各カラオケ楽曲に歌入着信メロディとして所望する歌唱部分を利用者が自由に指定でき、その歌唱部分を利用者が上手く歌えたかどうかを客観的に判断し、さらに、最も上手く歌えた歌唱部分をカラオケホスト装置にて利用者毎に管理すると共に、当該ホスト装置に接続されたＷＷＷサーバの専用サイトから、これを歌入着信メロディとして効率良く供給できるようなカラオケシステムは想到されていなかった。
【０００７】
そこで、本発明は、上記不都合の解決を課題とし、具体的には、利用者が好きなカラオケ楽曲において、歌入着信メロディとして所望する歌唱部分について、これを容易かつ効率的に指定して設定登録でき、これにより利用者が自分好みの楽曲の歌入着信メロディを独自にアレンジできると共に、その歌唱部分を利用者が上手く歌えたかどうかを客観的に判断し、さらに、最も上手く歌えた歌唱録音データを利用者毎に一括管理し、これをＷＷＷサーバの専用サイトから、歌入着信メロディとして効率良く供給できるカラオケシステムの提供を課題とする。
【課題を解決するための手段】
【０００８】
上記課題を鑑み、本発明者らは、利用者が好きなカラオケ楽曲において、歌入着信メロディとして所望する歌入着信メロディ対象歌唱区間を自由に指定して設定登録できるカラオケ演奏端末と、当該カラオケ演奏端末とネットワーク通信回線を介して接続され、利用者ＩＤとカラオケ楽曲の楽曲コードを紐付けした歌入着信メロディ対象歌唱区間の歌唱録音データから、最も上手く歌えた歌唱録音データを逐次更新して管理するカラオケホスト装置を主体とし、その管理された歌唱情報を、当該歌唱情報からその歌唱録音データを抽出し、これを歌入着信メロディとして、適宜、所定の携帯電話に転送可能な機能を有するＷＷＷサーバに送信できるシステムを構築することで、上記課題を解決できることを見出し、本発明のカラオケシステムを想到した。
【０００９】
すなわち、本発明のカラオケシステムは、利用者による任意のカラオケ楽曲の歌唱音声に対する採点機能および録音機能を有し、当該歌唱録音データから携帯電話の歌入着信メロディを作成できるカラオケ演奏端末と、当該カラオケ演奏端末とネットワーク通信回線を介して接続されたカラオケホスト装置とを主体としてなるカラオケシステムであって、
前記カラオケ演奏端末は、
（ア）利用者ＩＤを認識するための利用者認識手段と、
（イ）利用者が歌唱するカラオケ楽曲において、歌入着信メロディとして利用者が所望する歌入着信メロディ対象歌唱区間を指定可能に制御し、当該指定区間を設定登録するための区間指定登録手段と、
（ウ）前記設定登録された歌入着信メロディ対象歌唱区間の歌唱音声を、当該楽曲の伴奏音楽と共に録音するための歌唱録音手段と、
（エ）前記設定登録された歌入着信メロディ対象歌唱区間における歌唱力の採点を行うための歌唱力採点手段と、
（オ）前記利用者ＩＤと、当該利用者が歌唱したカラオケ楽曲の楽曲コードと、当該楽曲における当該利用者が指定した前記歌入着信メロディ対象歌唱区間データと、当該歌入着信メロディ対象歌唱区間の採点結果と、当該歌入着信メロディ対象歌唱区間の歌唱録音データからなる歌唱情報を、前記カラオケホスト装置にアップロードするためのデータアップロード手段と、を具備し、
前記カラオケホスト装置は、
（カ）前記アップロードされた歌唱情報を、利用者ＩＤ毎に作成された歌唱情報管理ファイルに記録するための歌唱情報管理手段と、
（キ）前記歌唱情報管理ファイルにおいて、新たな歌唱情報がアップロードされる毎、その採点結果と従前記録されていた採点結果とを比較し、前者が後者を超えた場合、当該新たな歌唱情報をもって書き換え更新するための歌唱情報更新手段と、
（ク）前記歌唱情報管理ファイルに記録された歌唱情報を、所定の通信回線を介して接続され、当該歌唱情報からその歌唱録音データを抽出し、これを歌入着信メロディとして、適宜、所定の携帯電話に転送可能な機能を有するＷＷＷサーバに送信するための歌唱情報送信手段と、
を具備してなることを特徴とする。
【００１０】
また、本発明の請求項２記載のカラオケシステムは、請求項１記載のカラオケシステムにおいて、前記歌唱情報には、その歌唱録音データを前記ＷＷＷサーバから所定の携帯電話に転送する際、これを認可する利用者に対して付される認可者ＩＤも付帯されてなることを特徴とする。
【発明の効果】
【００１１】
本発明の請求項１記載のカラオケシステムによれば、利用者が歌入着信メロディとして所望する歌唱部分について、これを容易かつ効率的に指定して設定登録できることから、利用者が自分好みの楽曲の歌入着信メロディを独自にアレンジでき、また、その歌入着信メロディ対象歌唱区間の歌唱力の採点を行い、その歌唱部分を利用者が上手く歌えたかどうかを客観的に判断できると共に、その採点結果に基づき、カラオケホスト装置にて、利用者が最も上手く歌えた過去最高採点値の歌唱録音データを逐次更新して管理でき、その管理された歌唱情報を、当該歌唱情報からその歌唱録音データを抽出し、これを歌入着信メロディとして、適宜、所定の携帯電話に転送可能な機能を有するＷＷＷサーバに送信できることから、そのＷＷＷサーバの専用サイトから歌入着信メロディを効率良く供給できるなどといった効果を奏する。
【００１２】
さらに、本発明の請求項２記載のカラオケシステムによれば、請求項１記載のカラオケシステムにおいて、歌唱情報には、その歌唱録音データを前記ＷＷＷサーバから所定の携帯電話に転送する際、これを認可する利用者に対して付される認可者ＩＤも付帯されているため、利用者固有の歌唱音声が入った歌入着信メロディが、不用意に誰しもに利用されることが防げるといった効果を奏する。
【発明を実施するための最良の形態】
【００１３】
以下、本発明の歌入着信メロディ供給機能を有するカラオケシステムについての最適な実施例を挙げるが、先ず、請求項１記載の枕詞の構成について説明する。
【実施例１】
【００１４】
図１は本発明のカラオケシステムを含めたネットワーク構成図である。本実施例のカラオケシステム（１）は、所謂「通信カラオケシステム」に基づくものであり、センタサーバ機能を有するカラオケホスト装置（Ｈ）を中心として、このホスト装置（Ｈ）とネットワーク通信回線（Ｎ）を介して接続された各地に分散した多数のカラオケ演奏端末（Ｐ，Ｐ…）からなる。各カラオケ演奏端末（Ｐ，Ｐ…）は、それぞれ利用者が所望するカラオケ楽曲の歌唱音声に対する録音機能を有すると共に、利用者は何れのカラオケ演奏端末（Ｐ，Ｐ…）にても歌入着信メロディ用に作成した自らの歌唱録音データをカラオケホスト装置（Ｈ）にアップロードできる。そして、利用者毎に一括管理されたそれぞれの歌唱音声データは、当該ホスト装置（Ｈ）に接続されたＷＷＷサーバ（Ｓ）の専用サイトから、所定の携帯電話に転送できるものである。
【００１５】
具体的には、カラオケホスト装置（Ｈ）、各カラオケ演奏端末（Ｐ，Ｐ…）、ＷＷＷサーバ（Ｓ）は、それぞれ、一般電話回線、ＩＳＤＮ、ＡＤＳＬ、光通信回線などからなるネットワーク通信回線（Ｎ）に接続されており、カラオケホスト装置（Ｈ）とＷＷＷサーバ（Ｓ）とは、ＴＣＰ／ＩＰなどの所定の通信プロトコルによるＬＡＮ（Local Area Network：Ｌ）経由で接続されている。また、ＷＷＷサーバ（Ｓ）は、ＩＳＰ（Internet Service Provider）などを介してインターネット（Ｎｉ）に接続しており、このＷＷＷサーバ（Ｓ）は、その専用サイトから歌入着信メロディ用の歌唱音声データを供給している。さらに、携帯電話（Ｍ）は、携帯電話網（Personal Digital Cellular：ＰＤＣ）およびパケット携帯電話網（Personal Digital Cellular−Packet：ＰＤＣ−Ｐ）に接続されるが、パケット携帯電話網（ＰＤＣ−Ｐ）は所定のゲートウェイシステム（図示省略）を介してインターネット（Ｎｉ）と接続しており、携帯電話（Ｍ）は、このパケット携帯電話網（ＰＤＣ−Ｐ）を経由して、ＷＷＷサーバ（Ｓ）から歌入着信メロディ用の歌唱音声データを受け取ることができる。
【００１６】
次に、図２に示す、本発明のカラオケシステムを構成するカラオケ演奏端末のブロック構成図と、図３に示す、歌入着信メロディ対象歌唱区間の指定手順を示す表示画面の変遷図と、図４に示す、区間指定インタフェイスを組み込んだカラオケマイクおよびリモコン装置の概略図、図５に示す、歌唱音声の採点機能ブロック構成図に基づき、請求項１記載の（ア）から（オ）の構成について詳述する。
【００１７】
図２に示すように、本実施例のカラオケ演奏端末（Ｐ）は、装置全体の動作を制御する中央制御手段（２）や、これに接続された各種機器などから構成される。具体的には、中央制御手段（２）には、ＲＡＭ（３）、ハードディスク（４）、音源（８）、ミキサ（９）、ボーカルアダプタ（１３）、ＭＰＥＧデコーダ（１４）、合成回路（１５）、リモコン装置（６）、ＩＣカード読み取り／書き込み装置（３０）などが接続されている。なお、利用者ＩＤについては、本実施例では、このＩＣカード読み取り／書き込み装置（３０）を利用者認識手段とし、自らの利用者ＩＤをログイン入力して認識される。なお、本実施例では、このように、利用者ＩＤが付されたＩＣカードを用いているが、本発明はこれに限らず、例えば、パスワードの入力や指紋や声紋などの生体識別機能に依る機構のものであっても構わない。
【００１８】
ここで、各機能手段について少々説明する。先ず、音源（８）は、中央制御手段（２）が実行する楽曲シーケンサ（１９）の処理によって入力された楽曲データに応じて楽音信号を形成する。形成された楽音信号はミキサ（９）に入力され、このミキサ（９）は、音源（８）が発生した複数の楽音信号やカラオケマイク（５）と、Ａ／Ｄコンバータ（１２）を介して入力された利用者の歌唱音声信号を適当なバランスでミキシングする。ミキシングされたデジタル音声信号はサウンドシステム（１０）に入力される。このサウンドシステム（１０）はパワーアンプを備え、入力されたデジタル信号をアナログ信号に変換して増幅し、スピーカ（１１）から伴奏楽音と歌唱音声を放音する。
【００１９】
また、Ａ／Ｄコンバータ（１２）によってデジタル信号に変換された歌唱音声信号は、ボーカルアダプタ（１３）にも入力される。このボーカルアダプタ（１３）は、入力された歌唱音声信号から歌唱周波数を採取すると共に、中央制御手段（２）の楽曲シーケンサ（１９）から入力されたリファレンスの周波数を採取する。そして、この歌唱周波数とリファレンス周波数を同期させ、所定時間毎に区切って中央制御手段（２）に入力すると、歌唱力採点手段（２３）をもって歌唱力の採点を行うこともできる。なお、歌唱力採点のリファレンスとしては、通常、楽曲に含まれるガイドメロディデータが用いられる。ハードディスク（４）には採点テーブル（図示省略）が記録されており、この採点テーブルによる採点は、基本的には歌唱の周波数（音程・ピッチ）について行われ、基本点数を算出すると共に、ビブラートの程度、抑揚の程度、音質の良否、タイミングの良否、しゃくりの回数などに基づき、ボーナスポイントを算出して基本点数に加算（減算）する。なお、ＲＡＭ（３）には、各種プログラムや楽曲データを読み出すエリア（図示省略）の他、採点時に採点結果を記録する採点結果データエリア（図示省略）などが設定されている。
【００２０】
具体的には、図５に示すように、この歌唱力採点手段（２３）は、カラオケ演奏時に楽曲データから読み出されるガイドメロディデータをリファレンス（３３）として入力するが、このガイドメロディデータは主にＭＩＤＩデータであり、中央制御手段（２）は、このＭＩＤＩデータを周波数データおよび音量データに変換して歌唱力採点手段（２３）に入力させる。また、図２におけるカラオケマイク（５）から入力された歌唱音声信号はＡ／Ｄコンバータ（１２）によってデジタル波形データに変換され、抽出部（３１）にて、所定の採点要素の波形データから歌唱周波数データと歌唱音量データを抽出する。この抽出された各種データを比較部（３２）に入力し、ガイドメロディのリファレンス（３３）の周波数データと音量データとを比較し、その差分データを割り出す。また、歌唱音量データとガイドメロディ音量データからは歌唱発音時のタイミングの差分に基づいてリズム差分データを割り出し、この差分データは中央制御手段（２）により処理される。中央制御手段（２）はこの差分データも蓄積記憶し、平均値や標準偏差などを算出する。
【００２１】
通常、採点は楽曲の演奏過程において小節やフレーズなど所定の音符領域を１つの採点対象領域とされるが、利用者が指定して設定登録した歌入着信メロディ対象歌唱区間は複数の小節やフレーズから構成されているため、それぞれの小節毎ないしフレーズ毎に採点が集計され、その平均値が当該歌唱区間の採点値として採用される。
【００２２】
次に、図２のハードディスク（４）に記録されている背景映像データ（図示省略）は、ＭＰＥＧ（Moving Picture Experts Group）形式にエンコードされており、中央制御手段（２）の背景映像再生手段（図示省略）により再生処理を行い、これを読み出してＭＰＥＧデコーダ（１４）に入力する。このＭＰＥＧデコーダ（１４）は、入力されたＭＰＥＧデータをＮＴＳＣ（National Television System Committee）の映像信号に変換して合成回路（１５）に入力し、この合成回路（１５）は、この背景映像の映像信号上に歌詞テロップや採点表示などのＯＳＤを合成し、合成された映像信号をディスプレイ装置（７）に表示する。
【００２３】
リモコン装置（６）には、液晶ディスプレイ（通称「ＬＣＤ」）が設けられ、このＬＣＤ（Liquid Crystal Display）にはタッチセンサ方式の操作パネルが装着されており、これによりＧＵＩ（Graphical User Interface）環境を提供している。さらに、楽曲コードを予約登録するために使用する発光ダイオードからなる赤外線転送部が設けられ、通常は、充電器とデータの同期処理器を兼用した充電ステーション（通称「クレードル」）に着脱可能に装着接続している。一方、本体側のリモコンインタフェイス（図示省略）は、リモコン装置（６）から送られてくる赤外線信号を受信して、その楽曲コード信号を復元して中央制御手段（２）に入力する。例えば、リモコン装置（６）から楽曲コードが入力される度に、中央制御手段（２）は、この楽曲コードをカラオケ楽曲のリクエストであるとしてシーケンサ（１８）に伝達し、シーケンサ（１８）は、これに応じ、当該楽曲コードで識別される楽曲データをハードディスク（４）の楽曲データ記録エリア（図示省略）から読み出す。
【００２４】
また、このシーケンサ（１８）は主に楽曲シーケンサ（１９）および歌詞シーケンサ（２０）からなっており、楽曲シーケンサ（１９）は楽曲データ中の演奏データトラック、ガイドメロディトラックなどのトラックデータを読み出し、このデータで音源（８）を制御して所定のカラオケ楽曲の演奏を行い、一方、歌詞シーケンサ（２０）は文字パターン作成手段（２１）を備え、楽曲データ中の歌詞トラックのデータを読み出し、このデータに基づいて歌詞テロップの画像パターンを作成し、これを合成回路（１５）に出力する。
【００２５】
歌唱録音手段（１６）は、楽曲データに応じた伴奏楽音信号とミキサ（９）から受け取ったカラオケマイク（５）に入力された歌唱音声との混合信号を入力し、この混合信号をサンプリングしてＰＣＭ（Pulse Code Modulation）データへの変換処理を行う。このＰＣＭデータは、一旦、ＲＡＭ（３）に記録されるが、ハードディスク（４）に記録される歌唱録音データ（２９）は、一般的な携帯電話における歌入着歌メロディの保存データ形式に合わせ、ＭＰ３（MPEG Audio Layer 3）形式に変換して記録される。さらに、利用者ＩＤ（２５）と、当該利用者が歌唱したカラオケ楽曲の楽曲コード（２６）と、当該利用者が指定した歌入着信メロディ対象歌唱区間データ（２７）と、当該歌入着信メロディ対象歌唱区間の採点結果（２８）などが歌唱情報として、ハードディスク（４）に設けられた歌唱情報記録エリアに記録される。
【００２６】
ここで、図３に基づき、区間指定登録手段による歌入着信メロディ対象歌唱区間の指定手順について説明する。演奏が開始されると、前奏中ないし間奏中（Ｓ１）で歌詞文字表示のないＤａに続き、歌詞文字列が表示（Ｓ２）されるＤｂが現れるが、利用者は、Ｄｃに示すように、所望する歌入着信メロディ対象歌唱区間の開示歌詞文字（Ｍｓ）を、その歌詞文字の色変わり直前のタイミングで指示ボタンや指示アイコンといった所定の指定トリガ（区間指定インタフェイス）を押圧することで指定を行う（Ｓ３）。これに続き、Ｄｄに示すように、歌入着信メロディ対象歌唱区間の終了歌詞文字（Ｍｅ）を、その歌詞文字の色変わった直後のタイミングで、開始歌詞文字の指定方法と同様、所定の指定トリガを押圧することで指定を行う（Ｓ４）。こうして指定された歌入着信メロディ対象歌唱区間に対し、採点と録音が行われる。
【００２７】
なお、上記指定トリガ（区間指定インタフェイス）については、図４の区間指定登録手段の区間指定インタフェイスを組み込んだカラオケマイクおよびリモコン装置の概略図に示すように構成するのがよい。先ず、図４の（イ）は、本発明のカラオケ演奏端末が付帯するカラオケマイクである。このマイク（５）には、利用者の歌唱中に歌入着信メロディ対象歌唱区間を指定できるようにするため、利用者がマイクを握った状態で自然に指が触れる位置に押圧式の指示ボタン（５ａ）を設けている。この指示ボタン（５ａ）を区間指定インタフェイスとし、利用者が所望するタイミングでの押圧により、図２における区間指定登録手段（２２）をもって、上述した指定手順により歌入着信メロディ対象歌唱区間が設定登録される。
【００２８】
次に、図４の（ロ）は、本発明のカラオケ演奏端末が付帯するリモコン装置である。このリモコン装置（６）には、表示手段としてはＬＣＤ（６ｂ）が設けられ、このＬＣＤ（６ｂ）にはタッチセンサ方式でＧＵＩ環境を提供する操作パネル（６ｃ）が装着されている。そして、所定の利用者が歌唱中に、他の利用者がその歌唱を歌入着信メロディとして所望する場合、その歌入着信メロディ対象歌唱区間を指定できるようにするため、所定のモードにて操作パネル（６ｃ）に指示アイコン（６ａ）が表示されるように設定されている。この指示アイコン（６ａ）を区間指定インタフェイスとし、所望するタイミングでの押圧により、図２における区間指定登録手段（２２）をもって、上記（イ）と同様、歌入着信メロディ対象歌唱区間が設定登録される。
【００２９】
以下、さらに、図６に示す、本発明のカラオケシステムを構成するカラオケホスト装置のブロック構成図と、図７に示す、利用者ＩＤ毎の楽曲別歌唱区間管理テーブルの概念図に基づき、請求項１記載の（カ）から（ク）の構成について詳述する。
【００３０】
図６に示すように、任意のカラオケ演奏端末（Ｐ）において、その利用者認識手段であるＩＣカード読み取り／書き込み装置（３０）にて認識された利用者ＩＤと、当該利用者が歌唱したカラオケ楽曲の楽曲コードと、当該利用者が指定した歌入着信メロディ対象歌唱区間データと、当該歌唱区間の採点結果と、当該歌唱区間の歌唱録音データからなる歌唱情報は、図２において、中央制御手段（２）の統括的処理機能と通信制御手段（１７）の通信制御機能により、カラオケホスト装置（Ｈ）へアップロードされる。なお、本実施例では、この中央制御手段（２）と通信制御手段（１７）をもって、本発明のカラオケ演奏端末のデータアップロード手段を成すものである。
【００３１】
すると、カラオケホスト装置（Ｈ）において、歌唱情報管理手段（４２）は、通信制御手段（４０）を介してアップロードされた歌唱情報を、ハードディスク（４４）に設けられた利用者ＩＤ毎に作成される歌唱情報管理ファイル（４５）に記録する。この歌唱情報管理ファイル（４５）には、利用者ＩＤ（４５ａ）と、当該利用者が歌唱したカラオケ楽曲の楽曲コード（４５ｂ）と、当該利用者が指定した歌入着信メロディ対象歌唱区間データ（４５ｃ）と、当該歌唱区間の採点結果（４５ｄ）と、当該歌唱区間の歌唱録音データ（４５ｅ）からなる歌唱情報と共に、楽曲別歌唱区間管理テーブル（Ｔ）がそれぞれ設けられている。
【００３２】
この楽曲別歌唱区間管理テーブル（Ｔ）の構成は、図７に示すように、利用者を特定する「利用者ＩＤ」フィールド（ｆ１）に紐付けされた、当該利用者が歌入着信メロディを作成するために歌唱したカラオケ楽曲を特定する「楽曲コード」フィールド（ｆ２）と、各楽曲コードで特定されたカラオケ楽曲毎に設定された歌入着信メロディ対象歌唱区間を特定するためのフィールド、すなわち、前述した開示歌詞文字を演奏経過の相対時間で表す色替えタイミングデータにて特定するための「開始歌詞文字」フィールド（ｆ３）と、これと同様に、上記終了歌詞文字を特定するための「終了歌詞文字」フィールド（ｆ４）と、当該歌唱区間における過去最高の採点結果を示す「最高採点値」フィールド（ｆ５）と、それぞれの歌唱録音データが記録されているエリアを特定するための「歌唱録音データアドレス」フィールド（ｆ６）などを主体としている。なお、利用者の指示により、不要となったカラオケ楽曲を削除したり、あるいは、同一楽曲でも、その歌入着信メロディ対象歌唱区間を変えたい場合には、「開始歌詞文字」フィールド（ｆ３）と「終了歌詞文字」フィールド（ｆ４）を変更したりすることもできる。
【００３３】
そして、図６の歌唱情報更新手段（４３）は、この楽曲別区間採点管理テーブル（Ｔ）に基づき、新たな歌唱情報がアップロードされる毎、その採点結果と「最高採点値」フィールド（ｆ５）に既に記録されていた採点結果とを比較し、前者が後者を超えた場合、当該新たな歌唱情報をもって、当該楽曲の歌入着信メロディ対象歌唱区間の採点結果（４５ｄ）、および当該歌唱区間の歌唱録音データ（４５ｅ）を書き換え更新する。なお、所定のカラオケ楽曲について、一番始めのアップロード時、すなわち従前の歌唱情報が無い場合には、当然、採点結果同士の比較は行われない。
【００３４】
さらに、図６のカラオケホスト装置（Ｈ）において、中央制御手段（４１）の統括的処理機能と通信制御手段（４０）の通信制御機能により、歌唱情報管理ファイル（４５）に記録された歌唱情報は、ＬＡＮ（Ｌ）を介して接続され、当該歌唱情報からその歌唱録音データ（４５ｅ）を抽出し、これを歌入着信メロディとして、適宜、所定の携帯電話に転送可能な機能を有するＷＷＷサーバ（Ｓ）へ送信される。このＷＷＷサーバ（Ｓ）にも、上記歌唱情報管理ファイル（４５）と同様なファイルが形成されており、当該ＷＷＷサーバ（Ｓ）への、これら歌唱情報の送信タイミングは、例えば、利用者毎に歌唱情報の更新時、定期的な時間到達時、あるいは利用者による携帯電話への転送要求時にて行われる。なお、本実施例では、この中央制御手段（４１）と通信制御手段（４０）をもって、本発明のカラオケホスト装置の歌唱情報送信手段を成すものである。
【００３５】
以下、図８に示す、歌入着信メロディの作成手順および認可手順を示す表示画面の変遷図と、図９に示す、歌入着信メロディ転送用のＷＷＷサーバ専用サイトの表示画面に基づき、本発明の請求項１記載の（ク）の構成と、請求項２記載の構成について詳述する。
【００３６】
図８のＤ１からＤ６は、それぞれカラオケ演奏端末が付帯するリモコン装置のＬＣＤ表示画面である。なお、これら画面表示は、このＬＣＤと共に、図２におけるディスプレイ装置（７）に表示しても構わない。なお、ディスプレイ装置にはＧＵＩ環境が設定されていないので、ＧＵＩ環境が備えられたリモコン装置が利用できない場合は、カラオケ演奏端末が付帯する操作パネルやキーボードを利用する。
【００３７】
利用者は、先ず、自らの歌入着信メロディの供給を受けるサービスを選択するためのインタフェイス画面（図示省略）からＤ１を表出させる。このＤ１には、「Ｍｙ着歌エントリー」アイコン（５０）が設置され、利用者がこのアイコン（５０）を選択すると歌入着信メロディ供給機能システムが起動してＤ２が表出する。このＤ２には、本コンテンツが有料であることから課金処理を行うための支払い方法が設定されている。本実施例では、支払い方法は二つ指定され、一つは個人ＩＤ認証と共に金銭の授受ができる前払式電子マネー用ＩＣカードを利用する方法で、もう一つは現金を利用する方法である。
【００３８】
具体的には、「ＩＣカード」アイコン（５１）ないし「キャッシュ」アイコン（５２）を選択して支払いを行い、カラオケ演奏端末付帯のＩＣカード読み取り／書き込み装置ないしキャッシュ欄（図示省略）にて審査料が引き落とされる。なお、前払式電子マネー用ＩＣカードを利用する場合には、当該ＩＣカードには課金情報と共にエントリー情報に関するデータも記録することもできる。
【００３９】
料金の支払いを確認するとＤ３が表出する。このＤ３には、利用者が所望するカラオケ楽曲の楽曲コードを指定するための「楽曲コード入力」欄（５３）が設置されており、利用者は、所望の楽曲コードを入力してから「確定」アイコン（５４）を選択するとＤ４が表出する。このＤ４には、当該利用者により当該楽曲の歌入着信メロディ対象歌唱区間が既に設定登録されている旨と、楽曲演奏と共に歌唱採点と録音をする旨を含めたメッセージが表示され、所定時間経過後、演奏が開始される。なお、従前の歌唱情報が無い場合、すなわち、歌入着信メロディ対象歌唱区間が設定登録されていない場合には、図３に示す指定手順を説明する表示画面（図示省略）が表出した後、演奏が開始される。
【００４０】
演奏が終了すると、自動的にＤ５が表出する。このＤ５には、当該楽曲の歌入着信メロディ対象歌唱区間の採点結果と、この採点結果が過去最高であった場合には、その歌唱録音データが書き換え更新された旨を含めたメッセージが表示されると共に、「試聴」アイコン（５５）を選択すると、当該歌唱録音データを再生演奏するように構成されている。さらに、このＤ５には「採用」アイコン（５６）が設置され、利用者がこのアイコン（５６）を選択すると、利用者ＩＤ、楽曲コード、歌入着信メロディ対象歌唱区間データ、当該歌唱区間の採点結果、および当該歌唱区間の歌唱録音データからなる歌唱情報が、カラオケ演奏端末からカラオケホスト装置にアップロードされ、前述した利用者毎の歌唱情報管理ファイルが更新される。
【００４１】
本実施例では、「採用」アイコン（５６）を選択すると、所定の歌唱録音データをＷＷＷサーバから携帯電話に転送する際、これを認可する利用者に対して付される認可者ＩＤを登録するための認可者ＩＤ登録用インタフェイス表示画面Ｄ６が表出する。図８の拡大図が示すように、このＤ６には、歌唱した利用者を特定する「利用者ＩＤ」欄（５７）と、当該利用者が作成した歌入着信メロディの対象カラオケ楽曲を特定する「楽曲コード」欄（５８）と、その「曲名」欄（５９）と、複数の認可者ＩＤを設定登録するための「認可者ＩＤ設定登録」欄（６０）が設けられ、利用者は所定の「入力」アイコン（６１）を選択して、テンキー入力（コード入力の場合）や仮名入力（氏名入力の場合）をするための入力インタフェイス表示画面（図示省略）を表出させて、所定の入力操作後、「登録」アイコン（６２）を選択することによって、認可者ＩＤを登録することができる。そして、この情報も歌唱情報とされ、前述した歌唱情報管理ファイルに記録される。これにより、歌入着信メロディを作成した利用者を含め、認可された利用者のみが当該歌唱録音データをその携帯電話に転送できるものである。
【００４２】
次に、図９は、歌入着信メロディ転送用のＷＷＷサーバが提供する専用サイトへの表示画面Ｄｍである。利用者は、一般的なモバイルサイトへのアクセス方法と同様に、自らの携帯電話をもって専用サイトにアクセスできる。そして、このＤｍには、アクセスした利用者を確認するための「利用者ＩＤ」欄（７０）と、携帯電話へ転送できる歌入着信メロディの対象カラオケ楽曲を特定する「楽曲コード」欄（７３）と、その「シーケンシャル番号」欄（７２）と、その歌入着信メロディ対象歌唱区間の歌詞フレーズを部分的に表示した「歌詞フレーズ」欄（７４）と、その中から携帯電話へ転送させたいものを選択するための「選択」フラグ欄（７６）が設けられている。
【００４３】
利用者が所定の歌入着信メロディをダウンロードしたい場合には、先ず、「利用者ＩＤ」欄に自らのＩＤ番号ないし氏名の仮名文字を入力して利用者ＩＤを特定し、次に、「ＩＤ」アイコン（７１）を選択する。すると、転送できる歌入着信メロディの対象カラオケ楽曲を特定する「楽曲コード」欄（７３）と、その歌入着信メロディ対象歌唱区間の歌詞フレーズを部分的に表示した「歌詞フレーズ」欄（７４）に内容表示がなされ、利用者は、これを見ながら「選択」フラグ欄（７６）にフラグを立てれば所望の歌入着信メロディを選択できる。勿論、選択曲数は単数でも複数でも構わない。この時、本実施例では、選択フラグを立てる前に、各歌唱録音データを部分的に再生演奏することができる。この場合には、「シーケンシャル番号」欄（７２）にチェックを入れ、続けて、「試聴」アイコン（７５）を選択すればよい。そして、歌入着信メロディが決定されたなら、そのフラグを立てた状態で「確定」アイコン（７７）を選択することで、フラグの立った歌唱録音データが当該携帯電話のメモリに転送される。
【００４４】
以上、詳述したように、本発明の歌入着信メロディ供給機能を有するカラオケシステムによれば、利用者が歌入着信メロディとして所望する歌唱部分について、これを容易かつ効率的に指定して設定登録できることで、利用者が自分好みの楽曲の歌入着信メロディを独自にアレンジでき、また、その歌入着信メロディ対象歌唱区間の歌唱力の採点を行い、その歌唱部分を利用者が上手く歌えたかどうかを客観的に判断できると共に、その採点結果に基づき、カラオケホスト装置にて、利用者が最も上手く歌えた過去最高採点値の歌唱録音データを逐次更新して管理でき、その管理された歌唱情報を、当該歌唱情報からその歌唱録音データを抽出し、これを歌入着信メロディとして、適宜、所定の携帯電話に転送可能な機能を有するＷＷＷサーバに送信できることから、そのＷＷＷサーバの専用サイトから歌入着信メロディを効率良く供給できるものである。
【図面の簡単な説明】
【００４５】
【図１】本発明のカラオケシステムを含めたネットワーク構成図。
【図２】本発明のカラオケシステムを構成するカラオケ演奏端末のブロック構成図。
【図３】歌入着信メロディ対象歌唱区間の指定手順を示す表示画面の変遷図。
【図４】区間指定インタフェイスを組み込んだカラオケマイクおよびリモコン装置の概  略図。
【図５】歌唱音声の採点機能ブロック構成図。
【図６】本発明のカラオケシステムを構成するカラオケホスト装置のブロック構成図。
【図７】利用者ＩＤ毎の楽曲別歌唱区間管理テーブルの概念図。
【図８】歌入着信メロディの作成手順および認可手順を示す表示画面の変遷図。
【図９】歌入着信メロディ転送用のＷＷＷサーバ専用サイトの表示画面。
【符号の説明】
【００４６】
１  歌入着信メロディ供給機能を有するカラオケシステム
２，４１  中央制御手段
４，４４  ハードディスク
５  カラオケマイク
６  リモコン装置
１６  歌唱録音手段
１７，４０  通信制御手段
２２  区間指定登録手段
２３  歌唱力採点手段
２４  試聴制御手段
２５，４５ａ  利用者ＩＤ
２６，４５ｂ  楽曲コード
２７，４５ｃ  歌入着信メロディ対象歌唱区間データ
２８，４５ｄ  採点結果
２９，４５ｅ  歌唱録音データ
３０  利用者認識手段
４２  歌唱情報管理手段
４３  歌唱情報更新手段
４５  歌唱情報管理ファイル
Ｈ  カラオケホスト装置
Ｐ  カラオケ演奏端末
Ｎ  ネットワーク通信回線
Ｔ  楽曲別歌唱区間管理テーブル
Ｓ  ＷＷＷサーバ
Ｍ  携帯電話
【図１】
2006017763.tif 000003
【図２】
2006017763.tif 000004
【図３】
2006017763.tif 000005
【図４】
2006017763.tif 000006
【図５】
2006017763.tif 000007
【図６】
2006017763.tif 000008
【図７】
2006017763.tif 000009
【図８】
2006017763.tif 000010
【図９】
2006017763.tif 000011